(57)【要約】【課題】水中から定型的な118番などの緊急通報先に通報メッセージを送信したり、通報先と通話をすることで緊急通報が可能となる装置を提供する。【解決手段】水中での通報情報送信装置から定型的なメッセージ等の通報情報を送信し、受信手段を有する船上データ処理装置で受信した通報情報を処理し、携帯電話等の外部通信装置を使用して通報する。【選択図】  図１
2013214179.tif 000002
【特許請求の範囲】
【請求項１】
通報情報送信手段を備える水中通報情報送信装置と、
水中通報情報送信装置から送信された情報の受信手段、及び受信情報を外部通信機器に送信する手段を備える通報情報受信装置と、
からなる緊急通報装置。
【請求項２】
前記水中通報情報送信装置は、一つ以上の操作手段、誤動作防止手段、両手段の操作に応じた情報を送信する送信手段を有する請求項１に記載の緊急通報装置。
【請求項３】
前記通報情報送信装置には情報受信手段を備え、
前記通報情報受信装置には情報送信手段を備え、
通報情報送信装置及び通報情報受信装置の少なくとも一方に発光手段を備え、
通報情報受信装置は外部通信機器から送信完了データ受信手段を備え、
送信完了データ受信時に通報情報受信装置の発光手段を発光させる手段及び送信完了データ受信時に通報情報送信装置の発光手段を発光させる手段の少なくとも一方を備える請求項１乃至２に記載の緊急通報装置。
【請求項４】
前記通報情報送信装置は二以上の受信手段を備え、
いずれか一つの受信手段が情報を受信した場合に外部通信機器に通報情報を送信する手段を備える通報情報受信装置、
を備える請求項１乃至３に記載の緊急通報装置。
【請求項５】
前記通報情報送信装置の情報送信手段及び通報情報受信装置の受信手段は可視光による通信手段を有し、色温度が４０００〜１００００Ｋに調光されたことを特徴とする請求項１乃至４に記載の緊急通報装置。
【請求項６】
前記水中通報情報送信装置が音声の入出力手段、入力された音声を変調する手段、情報受信手段、及び受信した音声信号を復調して出力する手段を備え、
前記通報情報受信装置が、外部通信機器との音声の入出力手段、外部通信機器からの音声情報を変調する手段、情報送信手段、及び水中通報情報送信装置からの音声情報を外部通信機器に送信する手段、
を備える請求項１乃至５に記載の緊急通報装置。
【発明の詳細な説明】
【技術分野】
【０００１】
本発明は、水上での水中からの緊急通報システムに関する技術に関わる。
【背景技術】
【０００２】
スキューバダイビング等のマリンスポーツでの事故の際には、海上保安庁への緊急通報電話番号（１１８番）が公開されている。昨今では、携帯電話からの通報が一般的になっている。しかしながら、例えば、潜水中の事故があった際でも携帯電話は水中では使用できないためすぐに通報することはできない。また、減圧症を防ぐために潜水状態からすぐに浮上する訳にはいかず、事故後速やかに携帯電話で通報することも難しい。そのため、潜水中の事故は致命的になりやすい問題がある。
【０００３】
文献１には、身体装着可能な部材に収納される装置であって、複数のＧＰＳ衛星から送信されるＧＰＳ信号を受信して緯度および経度からなる位置情報を発生する位置情報発生手段と、この位置情報発生手段によって生成された位置情報を含む遭難通報信号を発生する遭難通報信号発生手段と、前記遭難通報信号を無線送信する送信手段とを具備することを特徴とする緊急通報装置が開示されている。
【０００４】
従来から、水中でデータ（情報）通信を行うために、可視光を利用した方法がある。水中において、データの送受信を行うために、送信側で、送信すべきデータを可視光に変調して水中に送信し、受信側で、当該可視光を受光し、復調して情報を取り出す方法や装置が開示されている（例えば、特許文献２乃至特許文献４）。
【０００５】
ところで、携帯電話キャリア各社は、緊急通報（１１０番、１１８番、１１９番）との通話の際には、位置情報を送信する携帯電話を提供している。例えば、NTTドコモ（登録商標）は、「緊急通報位置通知」を行っている。これは、GPSによる位置情報を検出する場合にはGPS位置情報を、GPSが検出できない場合には基地局情報を通報先に送信するものである。
NTTドコモ  http://www.nttdocomo.co.jp/service/safety/position_notification/
総務省  http://www.soumu.go.jp/menu_seisaku/ictseisaku/net_anzen/hijyo/tuho.html
【先行技術文献】
【特許文献】
【０００６】
【特許文献１】特開2003-332922号公報
【特許文献２】特開平４-３１２０３５号公報
【特許文献３】特開２００５-２０４２２号公報
【特許文献４】特開２００８‐３０４６４９号公報
【発明の概要】
【発明が解決しようとする課題】
【０００７】
先行技術文献に開示された発明では、水中での通報を行う事は出来ない。本発明は、水中での緊急通報を実現するために記載されたものである。
【課題を解決するための手段】
【０００８】
本発明は、潜水者の操作する通報情報送信装置から信号を送信し、信号を受信する通報受信装置、データ処理装置及び携帯電話等の外部接続装置を利用して緊急通報（１１８番等）を行うものである。
【発明の効果】
【０００９】
潜水中に事故が起こった場合には、減圧症を考慮してすぐに浮上することは出来ず、浮上して通報するまでには時間がかかっていた。本発明では、事故後すぐに水中から通報して、浮上しながら救助が来るのを待つことが可能となる。なお、前記に記載の通り、携帯電話を利用すれば、緊急通報の際にはGPSによる位置情報が付加されるため、海上保安庁等の緊急通報先には、位置情報が付加された緊急通報がなされる。
【図面の簡単な説明】
【００１０】
【図１】本発明に係る装置の全体構成図である。
【図２】通報情報送信装置の外観図である。
【図３】通報情報送信装置の処理を示すブロック図である。
【図４】通報情報送信装置の定型メッセージ処理フローチャートである。
【図５】通報情報受信装置、データ処理装置及び外部通信装置の外観図である。
【図６】受信部の入射角を示す説明図である。
【図７】通報情報受信装置の外観図である。
【図８】通報情報受信装置、データ処理装置及び外部通信機器の処理を示すブロック図である。
【発明を実施するための形態】
【００１１】
本明細書で「無線」とは、音波、超音波、可視光、赤外線、紫外線、電磁波等を含み、「無線通信」・「無線送信」・「無線受信」とは無線を用いた通信をいう。
【００１２】
以下、添付の図面を参照して、本発明の実施の形態の説明を行うが、本発明はこれらの実施の形態に限定されない。
【００１３】
本発明に係る装置では、水中から緊急通報を行う。緊急通報には、＜A＞定型的なメッセージを通報先に送信する場合と、＜B>水中からの通話によって通信する場合がある。以下では、最初に図面を用いながら定型的なメッセージを通報先に送信する場合を例にとって説明する。
【００１４】
＜Ａ＞定型メッセージを送信する場合
まず、図１を参照して本発明の通信装置の構成を説明する。
【００１５】
本装置は、通常、潜水中に用いられる。１１は、通報情報送信装置である。潜水者の操作によって通報情報送信装置１１の送信部から信号が発信される。通報情報送信装置１１はダイバーが手で握持して使用する形状、ダイバーの腕に巻き付けたり胸部に取り付けたりすることができる形状としてもよい。
【００１６】
発信された信号は通報情報受信装置１２によって受信される。通報情報受信装置１２は、図１に示すように水中でも使用できるが、船上で受信しても良い。
【００１７】
通報情報受信装置１２と無線または有線で通信する機能を有するデータ処理装置１３は、通報信号を携帯電話等の外部通信機器１４で送信可能な音声又はデータに変換する。通報情報受信装置１２とデータ処理装置１３は一体として構成しても良い。なお、外部通信機器１４は携帯電話、スマートホンや無線通信機等の通信機器で構成される。
【００１８】
１５は船である。１６は水面である。
【００１９】
図２は、通報情報送信装置の外観である。潜水者は操作部２１、誤動作防止部２２を操作して通報する。操作部２１が操作された場合、内部での情報処理を通じて送信部２５が無線を発信する。なお、操作部２１を複数設けても良い。通報したい内容を選択可能にできるようにするためである。
【００２０】
また、図２に示す通り、通報情報送信装置１１には、マイクロフォンとイヤホンを有するヘッドセット２３等の音声入出力装置を設ける事も出来る。マイクロフォンとイヤホンは、骨伝導式を用いるのが水中では好ましい。２６は、通話等をする場合の受信部であり、２７は通報がなされたことを確認等するために使用される発光部である。
【００２１】
送信部２５は、音波又は超音波の場合は発振器等を、可視光、赤外線、紫外線の場合はLED等を、マイクロ波又はラジオ波の場合には送信アンテナ等を用いることが出来る。受信部２６は、音波又は超音波の場合はセンサーを、可視光、紫外線、赤外線の場合はCCDやフォトダイオードを、マイクロ波又はラジオ波の場合には受信アンテナ等を用いることができる。発光部２７はLED等の発光素子を用いることができる。
【００２２】
送信部２５がLEDから構成される場合、ＬＥＤから発せられる光の色温度は、４０００〜１００００Ｋであるが、さらに６０００〜１００００Ｋが好ましい。色温度が４０００Ｋ未満だと黄色みを強く帯びた光となり水中における通信距離が短くなる。また１００００Ｋを越えると青みを強く帯びた光となるため、通報情報送信装置を水中ライトと兼用する場合には、被照射物が本来の色調とは異なって見える場合があり、好ましくないからである。
【００２３】
また、ＬＥＤから発せられる光の光束（光源からある方向に放射されたすべての光の明るさ）は、５５０〜２０００ルーメンが好ましい。５５０ルーメン未満だと、通信には適した明るさとはならず、２０００ルーメンを越えると、水中では非常に眩しく感じられるようになり、例えば、ダイバー同士で通信する場合に受光側のダイバーの目に入射すると、しばらく残像が残りその間の視力が低下して危険であり、また、通報情報送信装置を水中ライトと兼用する場合には、被照射物が本来の色調とは異なって見える場合があり、好ましくないためである。
【００２４】
ＬＥＤから発せられる光の色温度を調整するには、色温度変換フィルタを用いたり、青色発光ＬＥＤに赤色及び緑色発光ＬＥＤを適宜組み合わせたりすることにより調整することができる。また、ＬＥＤから発せられる光の光束を調整するには、送信部２５に配設するＬＥＤ数を増減したり、ＬＥＤを仕様の異なるものと交換したりすることにより行うことができる。
【００２５】
送信部２５がLEDの場合には、受信部７１は、受光センサとしてフォトダイオードを配設する。フォトダイオードへの受光可能な入射角は、最大６０°〜８０°としてあることが好ましい。ここで入射角とは、光の入射方向とフォトダイオードの受光面の垂線との間の角度のことである（図６参照）。受光可能な入射角が６０°未満であると、受信部７１の受光範囲が狭くなるため、通信の際に送信側の送信側の送信部７２と受信側の受信部７１とを、相当程度の正確さで向い合わせにしなければ通信できない状態となり不便だからである。他方、受光可能な入射角が８０°を越えると、太陽光等の外光がフォトダイオードに入射しやすくなり、フォトダイオードの出力が飽和して通信ノイズが発生し、耳障りな音が受信者に聞こえる場合があるからである。
【００２６】
フォトダイオードの受光可能な入射角の調整は、例えば、受信部２６に偏光フィルタを取り付けたり、受信部７１の周りにカバーを取り付け、適宜に影を作ったりすることで調整することができる。また、フォトダイオードには、チップ型、密封型、砲弾型などがあるが、砲弾型を使用すると一般に外光の入射による通信ノイズが生じ難く好ましい。
【００２７】
本発明に用いるフォトダイオードとしては、一般的な可視光の検出に用いられる受光感度が０．５７〜０．６３Ａ／Ｗのものを使用することができる。なお、受光感度が高いフォトダイオードを使用する場合には、あらゆる外光を誤感知して通信ノイズが発生し易くなるので、受信部７１に偏光フィルタを取り付けたり、カバーを取り付け、適宜に影を作ったりし、外光の入射をなるべく防ぐようにすればよい。
【００２８】
図３は、通報情報送信装置１１の内部の構造をブロック図にしたものである。操作部２１が操作されるとデータを通信制御部３１に伝達する。また、誤動作防止部２２も操作されると通信制御部３１に信号を伝達する。通信制御部３１は、PIC（Peripheral Interface Controller）等の集積回路を用いて構成することが出来る。
【００２９】
通信制御部３１内のアンプ部３４は受信した信号を増幅する。アンプ部３４は、増幅された信号を、処理・合成・変調部３５に送る。処理・合成・変調部３５は、操作部２１が操作されたことによる信号が入力された場合、図４に示すフローチャートに従って、データを処理する。
【００３０】
図４は、通信制御部３１の情報処理のフローチャートを示す（操作部２１が操作された場合のフロー）。操作部が操作されると、処理・合成・変調部３５は信号を受け取る（４２）。操作信号が複数ある場合には、この段階で信号の種類が識別される。回路上のチャンネルで識別しても良いし、処理・合成・変調部３５が信号をソフトウェアで識別することによって行っても良い。
【００３１】
操作部からの操作信号である場合には、通信制御部３１は操作信号を受け取り（４２）、誤動作防止部からの信号を受け取ったかどうかを確認する（４４）。４３で誤動作防止部からの信号を受け入れる。誤動作防止部からの信号が入力されていない場合には、指定時間経過後に終了することが出来る。
【００３２】
誤動作防止部からの信号を受け取っている場合は、操作部からの信号の種類に対応したメッセージ信号をメッセージ記憶部３２から取得する（４５）。その後、処理・合成・変調部３５は、搬送波生成部３３から搬送波を取り出し、搬送波とメッセージ信号を合成し、変調する（４６）。変調は、パルス変調を含む。
【００３３】
なお、メッセージ信号は、通報したい内容によって異なる場合がある。例えば、「水中事故発生、でケガをしました。現在安全停止中」と通報する場合もあるし、「水中事故発生、圧外傷の可能性があります、現在安全停止中」と通報する場合もある。メッセージ記憶部３２は、操作部に応じたメッセージ信号を記憶する。
【００３４】
メッセージ信号は、音声でもよいし、特定の音声やデータを特定するためのＩＤ（データ）でも良い。メッセージ信号が特定するためのＩＤの場合には、送信先のデータ処理装置１３のデータ処理部８２及び音声データ作成部８３が協調して、IDに対応する音声を特定する。
【００３５】
その後、制御部３６が送信部２５を制御し、通報データを送信する（４７）。
【００３６】
図５は、船の上で使用される通信装置の構成を示したものである。通報情報受信装置１２は、データ処理装置１３に接続される。また、前述の通り、通報情報受信装置１２は、データ処理装置１３は一体として構成しても良い。接続方式はBluetooth（登録商標）、WiFi（登録商標）等の無線でも良く、必ずしも有線である必要はない。
【００３７】
データ処理装置１３は、外部通信装置１４と接続される。接続方式は上記と同様に無線でも良く、必ずしも有線である必要はない。
【００３８】
図６は、通報情報受信装置の外装を示したものである。７１は受信部であり、７２は送信部である。７３は発光部である。
【００３９】
送信部７２は、音波又は超音波の場合は発振器等を、可視光、紫外線、赤外線の場合はLED等の発光素子を、マイクロ波又はラジオ波の場合には送信アンテナ等を用いることが出来る。受信部７１は、音波又は超音波の場合はセンサーを、可視光、紫外線、赤外線の場合はCCDやフォトダイオードを、マイクロ波又はラジオ波の場合には受信アンテナ等を用いることができる。発光部７３はLED等の発光素子を用いることができる。
【００４０】
送信部７２がLEDから構成される場合、ＬＥＤから発せられる光の色温度は、４０００〜１００００Ｋであるが、さらに６０００〜１００００Ｋが好ましい。色温度が４０００Ｋ未満だと黄色みを強く帯びた光となり水中における通信距離が短くなる。また１００００Ｋを越えると青みを強く帯びた光となるため、通報情報受信装置を水中ライトと兼用する場合には、被照射物が本来の色調とは異なって見える場合があり、好ましくないからである。
【００４１】
また、ＬＥＤから発せられる光の光束（光源からある方向に放射されたすべての光の明るさ）は、５５０〜２０００ルーメンが好ましい。５５０ルーメン未満だと、通信には適した明るさとはならず、２０００ルーメンを越えると、水中では非常に眩しく感じられるようになり、例えば、ダイバー同士で通信する場合に受光側のダイバーの目に入射すると、しばらく残像が残りその間の視力が低下して危険であり、また、通報情報受信装置を水中ライトと兼用する場合には、被照射物が本来の色調とは異なって見える場合があり、好ましくないためである。
【００４２】
ＬＥＤから発せられる光の色温度を調整するには、色温度変換フィルタを用いたり、青色発光ＬＥＤに赤色及び緑色発光ＬＥＤを適宜組み合わせたりすることにより調整することができる。また、ＬＥＤから発せられる光の光束を調整するには、送信部７２に配設するＬＥＤ数を増減したり、ＬＥＤを仕様の異なるものと交換したりすることにより行うことができる。
【００４３】
送信部７２がLEDの場合には、通報情報送信装置１１の受信部２６は、受光センサとしてフォトダイオードを配設する。フォトダイオードへの受光可能な入射角は、最大６０°〜８０°としてあることが好ましい。ここで入射角とは、光の入射方向とフォトダイオードの受光面の垂線との間の角度のことである。受光可能な入射角が６０°未満であると、受信部２６の受光範囲が狭くなるため、通信の際に送信側の送信側の送信部７２と受信側の受信部２６とを、相当程度の正確さで向い合わせにしなければ通信できない状態となり不便だからである。他方、受光可能な入射角が８０°を越えると、太陽光等の外光がフォトダイオードに入射しやすくなり、フォトダイオードの出力が飽和して通信ノイズが発生し、耳障りな音が受信者に聞こえる場合があるからである。
【００４４】
フォトダイオードの受光可能な入射角の調整は、例えば、受信部２６に偏光フィルタを取り付けたり、受信部２６の周りにカバーを取り付け、適宜に影を作ったりすることで調整することができる。また、フォトダイオードには、チップ型、密封型、砲弾型などがあるが、砲弾型を使用すると一般に外光の入射による通信ノイズが生じ難く好ましい。
【００４５】
本発明に用いるフォトダイオードとしては、一般的な可視光の検出に用いられる受光感度が０．５７〜０．６３Ａ／Ｗのものを使用することができる。なお、受光感度が高いフォトダイオードを使用する場合には、あらゆる外光を誤感知して通信ノイズが発生し易くなるので、受信部２６に偏光フィルタを取り付けたり、カバーを取り付け、適宜に影を作ったりし、外光の入射をなるべく防ぐようにすればよい。
【００４６】
図７は、通報情報受信装置１２、データ処理装置１３及び外部通信装置１４の情報処理を表すブロック図である。受信部２７で受信された信号は、アンプ部２９で増幅される。データ処理部８２は、搬送波から信号を取り出す。信号がメッセージ信号である場合には、メッセージ信号の内容を識別する。
【００４７】
音声データ作成部８３は、メッセージ信号の内容に応じた音声データを作成する。外部通信制御機部８４を通じて、外部通信機器１４に引き渡す音声データである。なお、音声データ作成部８３は記憶部を有し、記憶しているメッセージのいずれかを選択する事も出来る。
【００４８】
外部通信機器制御部８４は、音声データを音声データ作成部８３から受け取る。外部通信機器１４は携帯電話を含む。外部通信機器制御部３２は、外部通信機器に緊急通報番号と発信命令を受け渡す。外部通信機器は、これらに従って緊急通報を行う。
【００４９】
外部通信制御部８４は、外部通信機器１４の受信した音声データを分析し、呼び出し中、通話中、通話終了を判定する。外部通信制御部８４は、通話状態となったことを判定し、音声データを外部通信機器に引き渡す。音声データは、先述の通り、例えば、「水中事故発生、でケガをしました。現在安全停止中」、「水中事故発生、圧外傷の可能性があります、現在安全停止中」等である。
【００５０】
なお、外部機器で携帯電話を操作して発信する方法は携帯電話端子の仕様が公開されており、それらに従って容易に実施できる。例えば、NTTドコモ（登録商標）の携帯電話を操作する場合の仕様が公開されている。
http://www.nttdocomo.co.jp/binary/pdf/corporate/technology/document/foma/foma6.pdf
【００５１】
また、外部通信機器が携帯電話の場合には、通報することによって、GPSによる位置情報が通報先に伝達される。
【００５２】
＜多重化＞
通報情報受信装置１２の受信部７１、データ処理装置１３のアンプ部８１、データ処理部８２及び音声データ作成部８３は多重化しても良い。多重化とは、同機能を有する装置を複数稼働させておくことである。多重化した場合、全ての通報情報受信装置の受信部で通報情報送信装置から信号を受信する。その後のアンプ部、データ処理部、音声データ作成部を経由して外部通信機器制御部までの情報の流れは上記と同じである。
【００５３】
外部通信機器制御部３２は、複数あるうちの一系統から信号を受信した場合に、外部通信機器に緊急通報番号と発信命令を受け渡す。外部通信機器は、これらに従って緊急通報を行う。
【００５４】
＜潜水者が通報されたことを確認する方法＞
潜水者が、操作部を操作した後、実際に通報されたことを確認するためには、（１）通報情報受信装置１２の発光部７３を発光（点滅を含む）させる方法、（２）通報情報送信装置１１の発光部２７を発光（点滅を含む）させる方法がある。いずれも、潜水者が目視で確認できるようにするためである。
【００５５】
（１）通報情報受信装置１２の発光部７３を発光（点滅を含む）させる方法
外部通信制御部８４は、外部通信機器への音声データの引き渡しが終了したり、外部通信機器から通話終了データを受信したりすると、データ処理部８５に終了データを引き渡す。データ処理部８５は、終了データを受け取る。データ処理部８５は終了データを識別し、発光部７３を発光させる。
【００５６】
（２）通報情報送信装置１１の発光部２７を発光（点滅を含む）させる方法
外部通信制御部８４は、外部通信機器への音声データの引き渡しが終了したり、外部通信機器から通話終了データを受信したりすると、データ処理部８５に終了データを引き渡す。データ処理部８５は、終了データを受け取る。データ処理部８５は、発光部２７を発光させるための信号（発光信号）を生成し、処理・合成・変調部８７に引き渡す。処理・合成・変調部８７は、搬送波生成部８６から搬送波を取得して、発光信号を合成、変調する。制御部８８は変調後の信号を、処理・合成・変調部８７から受け取って送信部を制御して送信する。
【００５７】
送信された発光信号は、図３の受信部２６で受信された後、アンプ部３８で増幅される。復調・変換部３７は、増幅後の信号を復調し、発光信号であると判別する。発行信号であると判別した場合には、制御部３９にデータを送信し、受け取った制御部は発光部２７を発光させる。
【００５８】
＜Ｂ＞通話する場合
以上が、水中から潜水者がその状態に応じて操作部を通して通報する場合である。本発明では、水中から通報先につなげ、通話することも可能である。以下では、その構成について説明する。
【００５９】
潜水者は、図２の通報情報送信装置１１の通話開始部２８を操作する。通話開始部２８からの入力信号はアンプ部３４で増幅され、処理・合成・変調部３５に送られる。処理・合成・変調部３５は通話開始信号であることを識別し、搬送波生成部３３から受け取った搬送波と通話開始信号を合成して変調する。制御部３６は、変調後の信号を処理・合成・変調部３５から受信してそれに従って送信部２５を通じて通話開始信号を送信する。
【００６０】
通報情報受信装置１２は、受信部７１で通話開始信号を受信する。通話開始信号はアンプ部８１で増幅され、データ処理部８２に引き渡される。データ処理部８２は、通話開始信号を復調し、通話開始データを生成する。データ処理部８２は通話開始データを外部通信制御部８４に引き渡し、外部通信制御部８４は外部通信機器を制御して緊急通報先に通報する。
【００６１】
潜水者からの音声は、潜水者の装着するヘッドセット２３に備えたマイクロフォンから入出力部２４を通じて入力される。  マイクロフォンは、ダイバーが発声した音声を採取し、その音声を電気信号に変換して出力する。マイクロフォンには、圧電式などを用いることができる。アンプ部３４に入力されて増幅され、処理・合成・変調部３５で音声信号と識別される。処理・合成・変調部３５は、搬送波生成部３３から受け取った搬送波と音声信号を合成して変調する。制御部３６は、変調後の信号を処理・合成・変調部３５から受信してそれに従って送信部２５を通じて音声信号を送信する。
【００６２】
通報情報受信装置１２は、受信部７１で通話開始信号を受信する。通話開始信号はアンプ部８１で増幅され、データ処理部８２に引き渡される。データ処理部８２は、音声信号を復調する。データ処理部８２は復調された音声信号を外部通信制御部８４に引き渡し、外部通信制御部８４は外部通信機器を制御して音声情報を入力する。
【００６３】
通報先からの音声データの流れについて説明する。通話確立後、外部通信機器１４は通報先からの音声データを受信して外部通信機器制御部８４に引き渡す。外部通信制御部は、音声データであることを識別し、処理・合成・変調部８７に音声データを引き渡す。処理・合成・変調部８７は、搬送波生成部８６から搬送波を取得して、合成して変調する。処理・合成・変調部８７は変調後の信号を制御部８６に引き渡し、制御部８６は送信部７２を通じて送信する。
【００６４】
送信された音声信号は、通報情報送信装置１１の受信部２６によって受信される。アンプ部３８は受信された音声信号を増幅する。増幅された音声信号は復調・変換部３７で音声信号のみが取り出され、入出力部２４に送られる。入出力部２４に送信されたデータは、ヘッドセット２３のイヤホン等で音声に変換される。
【符号の説明】
【００６５】
11          通報情報送信装置
12          通報情報受信装置
13          データ処理装置
14          外部通信機器
15          船舶
16          水面
21          操作部
22          誤動作防止部
23          ヘッドセット
24          入出力部
25          送信部
26          受信部
27          電灯部
31          通信制御部
32          メッセージ記憶部
33          搬送波生成部
34          アンプ部
35          処理・合成・変調部
36          制御部
37          復調・変換部
38          アンプ部
39          制御部
41          フロー  開始
42          フロー操作部からの信号を受け取り
43          フロー  誤動作防止部からの信号を受け取り
44          フロー  誤動作防止部からのデータを受け取ったか
45          フロー  メッセージ記憶部３２から対応するデータを読み出し
46          フロー  搬送波と対応データ信号の合成・変調
47          フロー  送信
48          フロー  終了
71          受信部
72          発信部
73          電灯部
81          アンプ部
82          データ読み取り部
83          音声データ作成部
84          外部通信機器制御部
85          データ処理部
86          搬送波生成部
87          処理・合成・変調部
88          制御部
【図１】
2013214179.tif 000003
【図２】
2013214179.tif 000004
【図３】
2013214179.tif 000005
【図４】
2013214179.tif 000006
【図５】
2013214179.tif 000007
【図６】
2013214179.tif 000008
【図７】
2013214179.tif 000009
【図８】
2013214179.tif 000010